(57)【要約】      （修正有）【課題】環境に優しい安価な魚釣り用錘を提供する。【解決手段】ステンレスなど他の金属板をプレスして錘形状の縦半分の形に成型し、合わせて溶接すればどんな形状でも作ることが出来る。そこへ溶かした鉛を流し込み冷まして固めれば良い。トップ部分は切削で蓋を成型し、内側に胴部と同じピッチのネジを切り、締め付ければ簡単に鉛とほぼ同じ大きさのステンレスの錘を作ることが出来る。トップと胴部の首部分は同一規格にしておくことにより、大きさや形状を幾ら変えても、トップは共用することが出来経済的である。【選択図】図６
0003113559.tif 000002
【実用新案登録請求の範囲】
【請求項１】
鉛を他の金属で包み込み（被覆し）、鉛部分が外に出ないようにしたことを特徴とする魚釣り用錘。
【請求項２】
錘のトップ部と、胴部とをネジで繋いだことを特長とする請求項１記載の魚釣り用錘。
【考案の詳細な説明】
【考案の詳細な説明】
【技術分野】
【０００１】  先日、地球温暖化防止に関する問題で、世界の国々が参加して、京都議定書が協議された。今、大気圏の二酸化炭酸ガスやオゾン、それに水の汚濁など、地球全体が汚染の問題に直面している。
魚釣り用錘では、一部で、ビニールで鉛を被覆したものや、タングステンを使用したものなど環境に配慮したものも使われてはいるが、依然として鉛そのままが大半である。周知のとおり、鉛は毒性があり、「全日本釣り団体協議会」などでもこの点を危惧する声が出ているが、製造方法や価格面や使い勝手などの点で、鉛が一番適しておりほとんど野放し状態と言って良い。
鉛に毒性が有るからと言って、鉛その物を魚が食べるわけではないし、鉛その物は腐蝕もしなければ、水に溶けることもない故、環境面にどのような影響を与えているのか疑問な点も有るのは確かである。しかし、海底や湖沼や河川の底に、ひょっとして影響を与えているかもしれない。本考案は、こうした環境面に配慮して、魚釣り用の錘の鉛毒を水の中にさらさないようにする方法として考案されたものである。しかし、今迄は、鉛を金属で包み込めば、ビニールで被覆したりコーティングするよりも、遥かに確実に毒性を封じ込めることが出来るし、破損の心配も小さなものであることは分かっていたが、その方法が分からず実現されなかったが、この方法なら殆どの金属で鉛を包みこむことができる。
様々な形をした錘の形状から、鉄板などをフカシボリ等で加工することは全く不可能であるが、縦に切った状態でプレスにより形を作り、これを溶接して引っ付ければどんな形でも簡単に作ることが出来る。幸い、鉛の溶融温度は、他の金属より遥かに低いので、その中に溶かした鉛を流し込み冷やせば良い。その首の部分にプラスのネジを切り、蓋の役目も果たし、糸又は、サルカンと繋ぐ環の役目も果たすトップ（頭部）にマイナスのネジを切り、取り付ければどんな形でも完全に鉛を封じ込むことが出来る。また、このトップは一定にして、胴の部分だけ形を変えたり、大きさを変えることによって、特長も出せるし、号数も簡単に変えることが出来る。加工面でも、トップは一定であるため、大量生産ができ、価格面でも押えることが出来る。確かに鉄やステンレスなど大抵の金属は腐蝕する。しかも塩水の中では、その速度はかなり早いと思えるが、腐蝕しにくいチタンを使用すれば、この心配も無くなる。
鉛毒が心配なら、わざわざこんなややこしいことをせず、いっそのこと、鉄やステンレスで錘を作れば良いことなのだが、重さの問題が有る。鉄やステンレスの比重は、鉛の約半分である。と言うことは、鉄やステンレスで鉛と同じ重さの錘を作ろうと思えば、単純に倍の大きさにしなければならない。この倍の大きさが問題なのである。海底から仕掛けを引き揚げるとき、必ず錘が付いている。ただでさえ抵抗の有る錘が更に水の抵抗が加わり、倍の重さになってしまう。投げ釣りの場合は更に悲劇と言える。仕掛けを天秤（錘）に取り付け、竿の反発を利用して遥か沖の魚を釣るのであるが、錘が大きすぎるとどうなるか、……風の抵抗で飛距離が出なくなる。なおかつ、キスの引き釣りは更に悲劇と言える。
海底をゆっくり仕掛けを手前に引き寄せながら、キスの食い気を誘い一度に７匹１０匹と数を釣ろうと言うのであるが、錘が大きすぎるとどうなるか、言うまでもあるまい。
以上のような事情から、今の鉛とほぼ変わらぬ錘にこだわるのである。
【背景技術】
【０００２】  前項「考案の属する技術分野」でも述べたとうり、今迄の錘は、鉛その物が殆どであり、環境に配慮したものと言えば、鉛の上にビニールを被覆するか、コーティングしたもの。又はタングステンを加工したものである。
ビニールを被覆したものは簡単に破れたり、コーティングしたものは剥がれてしまう。特に投げ釣りなどでは、錘が海底を擦りながら使用されることが多い為、尚のこと破れてしまうことが多い。
タングステンは、比重では鉛より大きく、また毒性は全く心配が無く、錘としては理想的では有るが、材料の価格の高さと、加工面の困難さで普及しにくいと言う面が有る。鉛なら百円ぐらいで市販されているものが、タングステンでは２０倍に近い２０００円ぐらいの単価が付ている。
【考案が解決しようとする課題】
【０００３】  従来の錘は鉛その物であり、その毒性が環境に対して、なんらかの影響を及ぼすかも知れない、と言う問題点を有している。
【０００４】  従来のビニールコーティングやビニールで被覆したものは、すぐ剥がれたり破れると言う問題点を有している。
【０００５】  タングステンの錘は、単価が大変高くつき普及しにくいと言う問題点を有している。
【課題を解決するための手段】
【０００６】  本考案は、ビニールで被覆したりコーティングすると言った不完全なものより、完全に鉛毒を封じ込めるし、その大きさや形状が鉛と全く変わらないものとして考案したものであり、価格面でも、金型やプレスや溶接と言った加工賃は、鉛に比べて多少は高価になるが、タングステンと比べれば遥かに安く付くものであり、どんどん普及することにより、量産の効果により安価にできる可能性も含まれている。
その手段とは、「考案の属する技術分野」でも述べたとうり、鉄、ステンレス、シンチュウ、銅、チタンなどの鉛以外の金属で鉛を完全に封じ込め、その毒性が、海底や湖沼底や河川の底になんらかの影響を及ぼさないように、環境に優しい錘として考案したものである。
金属の板を袋状に加工することは不可能に近い。しかし縦に割ってプレス加工は簡単にできる。後は、二つを合わせて溶接すれば、中が空洞の袋状のものを作ることが出来る。幸い、鉛の融点は、他の金属より遥かに低いため、その中に解けた鉛を流し込んでも外側が破損する心配はない。冷めて固まってから蓋をすれば良い。蓋部分と胴の首部分をネジ式にして締め付ける。
前項の「考案の属する技術分野」でも述べたが、トップ（蓋）は、環や天秤を付けるのであるが胴部の頚の部分と経を合わせておけば、ぞれぞれの形状によって数種類作る必要はなく、共用することが出来る。その為量産が可能であり低価格化がはかれる。
以上製造方法の解決により、より環境に優しい錘が可能になった。
【考案を実施するための最良の形態】
【０００７】  本考案は、（１）現在使用されている錘の形状とほぼ同等の形状が可能であること。（２）現在使用されている錘の号数と殆ど大きさが変わらないこと。（３）価格的にもできるだけ安くできること。の３点に主眼を置き、砲弾型の投げ釣り用の錘を試作してみた。まずその形状を半分に割った金型を作り、ステンレスの０．８ｍｍの薄板をプレスしてみたところ、左右全く同じ形状であるため、金型は片方だけでよく価格的にも押えられることがわかった。
そのプレスしたステンの型を合わせて溶接して錘の外側の形を作り、頚の部分にネジを切った。そこへ溶かした鉛を流し込み、冷ましたところ、外側のステンとの隙間もなく奇麗に鉛内蔵ステンレス錘の胴部が出来上がった。トップ部分はステンレスの８ｍｍ棒を切削により胴部と同じ太さに削り、同じピッチのメスネジを切った。それを被せて締め付けることにより、鉛の形状や大きさは殆ど変わらず外見は完全にステンレスの錘が出来上がった。
そして、今出回っている錘の形状は、殆どが左右対称であるため、金型は一つの型で良いことが分かったし、頭部との経の太さを同じにしておけば、胴部の大きさを変えるだけで、どんな号数でも又形でもトップは共通できることもわかった。これによりかなりの部分を共用できたり量産できるため、価格面でもかなり押えられる目処がたった。
チタンでも加工出来ることも分かっており、腐蝕の心配が取り沙汰されるようであれば、少々高くは成るが、チタンを使用すれば、腐蝕の問題も解決出来る。
【考案の効果】
【０００８】  前項「考案が解決しようとする課題」（０００３〜０００５）の項で述べたとうり、
１、ステンレスで完全に鉛を包み込んだため、簡単に破れたり、剥がれたりしない。その為鉛毒が水に触れることはなく、環境に優しい錘が出来た。
２、大きさや形状も鉛とほぼ同じものが出来た。
３、かなりの部分が共用出来るため量産が可能になり、価格的にも押えられることがわかった。
以上のように、従来の技術が有していた問題点を本考案が全て解決している。
【図面の簡単な説明】
【図１】  ステンレスで鉛を完全に包み込んだ管付錘
【図２】  「図１」と同じ錘にトップ部分に天秤を取り付けた鉛内蔵ステンレス天秤
【図３】  「図１」と同じ鉛内蔵ステンレス錘の形状を変えたもの
【図４】  鉛内蔵ステンレス錘の蓋であり、管や天秤などの役目も果たすトップ部分の縦断面図
【図５】  錘の外観部分。ステンレスをプレスしたもの。これを２つ合わせて合わせ目を溶接して鉛を流し込む
【図６】  「図５」を溶接したものに鉛を流し込み固めたものの縦断面図
【図７】  従来の鉛の錘
【図８】  従来の鉛にビニールコーティングした錘
【図９】  従来のタングステンの投げ釣り用天秤
【図１】
0003113559.tif 000003
【図２】
0003113559.tif 000004
【図３】
0003113559.tif 000005
【図４】
0003113559.tif 000006
【図５】
0003113559.tif 000007
【図６】
0003113559.tif 000008
【図７】
0003113559.tif 000009
【図８】
0003113559.tif 000010
【図９】
0003113559.tif 000011
【手続補正書】
【提出日】平成17年5月16日(2005.5.16)
【手続補正１】
【補正対象書類名】実用新案登録請求の範囲
【補正対象項目名】全文
【補正方法】変更
【補正の内容】
【実用新案登録請求の範囲】
【請求項１】
鉛を他の金属で包み込み、鉛部分が外に出なてようにしたことを特長とする魚釣り用錘。
【請求項２】
錘のトップ部と、胴部とをネジで繋いだことを特長とする請求項１記載の魚釣り用錘。